(57)【特許請求の範囲】
【請求項１】
基板と、この基板の両端部から支点部を形成しつつ相互に接近する方向へ折り曲げられ、前記両支点部を中心にそれぞれ撓み変形可能な第１，第２のばね片部とを備え、一対の検知端子間を短絡可能とする短絡端子であって、
前記第１のばね片部には前記検知端子と接触可能な接点部が配される一方、前記第２のばね片部には、その頂部に配されて外部から作用する押圧力を受承する被押圧部と、この被押圧部から前記第１のばね片部に向けて延出された先端部に配され、前記被押圧部が押圧力を受承したときに前記接点部付近を押圧して、前記第１のばね片部を撓み変形させて前記検知端子と非接触状態とする駆動部とが形成されていることを特徴とする短絡端子。
【請求項２】
前記第１，第２のばね片部は、それぞれ先端が自由端となった片持ち梁状に形成され、前記第２のばね片部の自由端側は前記駆動部となって前記第１のばね片部の上面を前記接点部へ向けてスライド可能に当接していることを特徴とする請求項１記載の短絡端子。
【請求項３】
前記駆動部の先端は円弧状に巻回された回曲部が形成されていることを特徴とする請求項２記載の短絡端子。
【請求項４】
前記基板の端部に、組み付け時の押し込みのための操作面が設けられていることを特徴とする請求項１乃至３いずれかに記載の短絡端子。
【請求項５】
相互に嵌合可能な一対のコネクタハウジングのうち、一方のコネクタハウジングには可撓性を有するロックアームが設けられ、他方のコネクタハウジングには、両コネクタハウジングの嵌合途上では前記ロックアームを撓み変形させ両コネクタハウジングの嵌合が完了したときには前記ロックアームを復帰させて同ロックアームと係合可能な係合部が設けられ、
また、前記一方のコネクタハウジングには前記ロックアームの撓み領域内において短絡端子が配されてロックアームの撓み動作に連動して変位可能となっており、他方のコネクタハウジングには一対の検知端子が前記短絡端子に向けて設けられることで、前記両コネクタハウジング同士が嵌合途上にあるときにはロックアームの撓み動作に伴う短絡端子の変位動作によって短絡端子と検知端子とを非接触の状態とする嵌合検知用コネクタであって、
前記短絡端子は、基板と、この基板の両端部から支点部を形成しつつ相互に接近する方向へ折り曲げられ、前記両支点部を中心にそれぞれ撓み変形可能な第１，第２のばね片部とを備え、かつ前記第１のばね片部には前記検知端子と接触可能な接点部が配される一方、前記第２のばね片部には、その頂部に配されて外部から作用する押圧力を受承する被押圧部と、この被押圧部から前記第１のばね片部に向けて延出された先端部に配され、前記被押圧部が押圧力を受承したときに前記接点部付近を押圧して、前記第１のばね片部を撓み変形させて前記検知端子と非接触状態とする駆動部とが形成されていることを特徴とする嵌合検知用コネクタ。
【請求項６】
前記一方のコネクタハウジングには前記短絡端子を収容するために、一面側に差込み口が開口する収容空間が形成され、この収容空間は前記短絡端子が組み込まれたときに、前記被押圧部をロックアームの操作側に当接させることができるよう、ロックアームに向けて開放して形成されていることを特徴とする請求項５記載の嵌合検知用コネクタ。
【発明の詳細な説明】
【０００１】
【発明の属する技術分野】
この発明は、短絡端子とこれを組み込んだ嵌合検知用コネクタに関するものである。
【０００２】
【従来の技術】
従来、雌雄両コネクタハウジングの嵌合状態を電気的に検知する機能を備えたコネクタとして、特開平７−１４２１２２号公報のものが知られている（図１０参照）。これは、一方のコネクタハウジング１００に傾動可能なロックアーム１０１を形成するとともに、このロックアーム１０１が傾動したときに押されて変位する短絡端子１０２を設け、他方のコネクタハウジング１０３にはロック突起１０４を形成しさらに検知端子１０５を組み込んでいる。両コネクタハウジング１００，１０３が嵌合の途中の状態（半嵌合状態）では、ロックアーム１０１の先端がロック突起１０４に押し下げられ、これに伴って短絡端子１０２が押されて撓み変形するため短絡端子１０２と検知端子１０５とが非接触となる。両コネクタハウジング１００，１０３が正規の嵌合状態になると、ロック突起１０４との干渉が回避されて弾性復元したロックアーム１００がロック突起１０４に係合して両コネクタハウジング１００，１０３をロック状態とするとともに、ロックアーム１００の弾性復元に伴って短絡端子１０２も復元変位して検知端子１０５と接する。すなわち、検知端子１０５と短絡端子１０２との間の導通の有無によって嵌合状態が検知されるのである。
【０００３】
【発明が解決しようとする課題】
短絡端子１０２について、改めて詳細な構造を説明すると、短絡端子１０２は一端側がＵ字状に折り返されて支点部１０２ａとなり、他端側は自由端となっているとともに、上方へ被駆動部１０２ｃを起立させて前記ロックアーム１０１の下面に近づけている。また、被駆動部１０２ｃを立ち上げている部分の前側位置に検知端子１０５と接触する接点部１０２ｄを設けた構造となっている。
ところで、嵌合検知コネクタはコネクタハウジングの嵌合の有無を、ロックアームの撓み動作を利用して検出しようとするものであるから、短絡端子に求められる機能としては、ロックアームの撓み変位量がたとえ僅かであっても、確実に短絡端子と検知端子とが非接触の状態となるよう、ロックアームの撓み動作を確実にとらえ、短絡端子と検知端子との接触の有無を明確にすることが望まれる。
【０００４】
しかしながら、上記の構造では、短絡端子１０２は支点部１０２ａから自由端側へ向けて、接点部１０２ｄ、被駆動部１０２ｃと並ぶ構造であるため、被駆動部１０２ｃの変位量に比して接点部１０２ｄの変位は小さくならざるを得ない。これでは、ロックアーム１０１の撓みストロークが充分に確保されない状況では検知機能が充分と言えなくなってしまう。例えば、ロックアーム１０１が片持ち梁の形式となったものでは、比較的その撓み変位量が大きく確保できるが、防水型のコネクタではいわゆるシーソー型のロックアームが使用されることが多く、このシーソー型のロックアームでは撓み量が充分にとれず、検知機能の面から早期解決が望まれていた。
本発明は、こうした要請に応えるために開発されたものであり、その目的とするところは検知機能を高めうる短絡端子及びこれを組み込んだ嵌合検知コネクタを提供することである。
【０００５】
【課題を解決するための手段】
上記の目的を達成するための請求項１の発明は、基板と、この基板の両端部から支点部を形成しつつ相互に接近する方向へ折り曲げられ、前記両支点部を中心にそれぞれ撓み変形可能な第１，第２のばね片部とを備え、一対の検知端子間を短絡可能とする短絡端子であって、前記第１のばね片部には前記検知端子と接触可能な接点部が配される一方、前記第２のばね片部には、その頂部に配されて外部から作用する押圧力を受承する被押圧部と、この被押圧部から前記第１のばね片部に向けて延出された先端部に配され、前記被押圧部が押圧力を受承したときに前記接点部付近を押圧して、前記第１のばね片部を撓み変形させて前記検知端子と非接触状態とする駆動部とが形成されていることを特徴とするものである。
【０００６】
また、請求項２の発明は、請求項１記載のものにおいて、前記第１，第２のばね片部は、それぞれ先端が自由端となった片持ち梁状に形成され、前記第２のばね片部の自由端側は前記駆動部となって前記第１のばね片部の上面を前記接点部へ向けてスライド可能に当接していることを特徴とするものである。
さらに請求項３の発明は、請求項２記載のものにおいて、前記駆動部の先端は円弧状に巻回された回曲部が形成されていることを特徴とするものである。
さらにまた請求項４の発明は、請求項１乃至３いずれかに記載のものにおいて、前記基板の端部に、組み付け時の押し込みのための操作面が設けられていることを特徴とするものてある。
【０００７】
また請求項５の発明は、相互に嵌合可能な一対のコネクタハウジングのうち、一方のコネクタハウジングには可撓性を有するロックアームが設けられ、他方のコネクタハウジングには、両コネクタハウジングの嵌合途上では前記ロックアームを撓み変形させ両コネクタハウジングの嵌合が完了したときには前記ロックアームを復帰させて同ロックアームと係合可能な係合部が設けられ、また、前記一方のコネクタハウジングには前記ロックアームの撓み領域内において短絡端子が配されてロックアームの撓み動作に連動して変位可能となっており、他方のコネクタハウジングには一対の検知端子が前記短絡端子に向けて設けられることで、前記両コネクタハウジング同士が嵌合途上にあるときにはロックアームの撓み動作に伴う短絡端子の変位動作によって短絡端子と検知端子とを非接触の状態とする嵌合検知用コネクタであって、前記短絡端子は、基板と、この基板の両端部から支点部を形成しつつ相互に接近する方向へ折り曲げられ、前記両支点部を中心にそれぞれ撓み変形可能な第１，第２のばね片部とを備え、かつ前記第１のばね片部には前記検知端子と接触可能な接点部が配される一方、前記第２のばね片部には、その頂部に配されて外部から作用する押圧力を受承する被押圧部と、この被押圧部から前記第１のばね片部に向けて延出された先端部に配され、前記被押圧部が押圧力を受承したときに前記接点部付近を押圧して、前記第１のばね片部を撓み変形させて前記検知端子と非接触状態とする駆動部とが形成されていることを特徴とするものである。
さらに請求項６の発明は、請求項５記載のものにおいて、前記一方のコネクタハウジングには前記短絡端子を収容するために、一面側に差込み口が開口する収容空間が形成され、この収容空間は前記短絡端子が組み込まれたときに、前記被押圧部をロックアームの操作側に当接させることができるよう、ロックアームに向けて開放して形成されていることを特徴とするものである。
【０００８】
【発明の作用および効果】
請求項１の発明では、被押圧部に対し押圧力が作用すると、第２のばね片部が支点部を中心にして撓み変形するため、駆動部が第１のばね片部の接点部寄りの位置が押される。すると、第１のばね片部が支点部を中心として撓むため、検知端子と非接触の状態となって、短絡状態を解除することができる。
上記したロックアームの撓み動作の間、ロックアームによって押圧される部位は接点部から離れた位置であるが、駆動部により第１ばね片部に対し接点部に近い位置を押圧することができるようになったため、被押圧部の変位と接点部の変位との比を高めることができる。つまり、ロックアームの変位量が小さくても接点部の変位量を大きくとることができる。
また、請求項２の発明では、両コネクタハウジングの嵌合に伴ってロックアームが撓み動作をすると、第２のばね片部の被押圧部が押圧される。これによって、第２のばね片部は支点部を中心にして撓むが、このときに第２のばね片部の自由端である駆動部が第１のばね片部の上面をスライドしつつ第１ばね片部を撓ませるため、つまり被駆動部が接点部へ向けて変位することで、被駆動部の変位に対する接点部の変位の割合が徐々に高まる。
さらに、請求項３の発明では回曲部が形成されているため、第１のばね片部上のスライド動作が円滑になる。
さらにまた、請求項４の発明では、短絡端子の端部に操作面が設けられているため、組み込みの作業を円滑に行うことができる。
【０００９】
請求項５の発明では、両コネクタハウジングの嵌合に伴ってロックアームが撓むと、第２のばね片部の被押圧部が押圧される。これによって、第２のばね片部は支点部を中心として撓むため、駆動部が第１のばね片部の接点部寄りの位置を押す。すると、第１のばね片部が支点部を中心として撓むため、相手側コネクタハウジングに設けられた検知端子と非接触の状態とする。そして、両コネクタハウジングが完全に嵌合すると、ロックアームが復帰して相手側コネクタハウジングの係合部と係合して両コネクタハウジングが嵌合状態に保持される。また、ロックアームの復帰に伴って第２のばね片部が解放され、第１のばね片部が復帰するため、接点部が検知端子と接触状態となる。
また、請求項６の発明では、短絡端子を差込み口を通して収容空間へ押し込むと、短絡端子はその被押圧部がロックアームの操作側に当接した状態で組み込まれる。
【００１０】
【発明の実施の形態】
以下、本発明を具体化した実施形態を図面を参照して説明する。
図２の左側には雄側ハウジング１が配され、右側には雌側ハウジング２が示されている。
雄側ハウジング１は、合成樹脂製であって、支持壁部３から前方へ突出して雌側ハウジング２を嵌合させるようにしたフード部４を有し、支持壁部３にはＬ字形をなす雄端子金具５が圧入により貫通されている。雄端子金具５の接続部５ａはフード部４内に臨み、反対側の取付部５ｂは下向きとなって図示しない回路基板に取り付けられる。かかる雄側ハウジング１は、例えば防水処理が施された車載用のコンピュータユニット（図示せず）に取り付けられ、フード部４が外部へ突出されるようにしている。また、フード部４の上面には、雌側ハウジング２との嵌合時にロックアーム７と係合されるロック突起６が形成されている。
さらに、支持壁部３には、Ｌ字形をなす一対（図１及び図２では重なっている）の検知端子８が圧入により貫通され、その検知部８ａがフード部４の天井面に沿って前方へ延びているとともに、その反対側の取付部８ｂが支持壁部３の後方で下向きに曲げられて回路基板に接続されるようになっている。
【００１１】
雌側ハウジング２も合成樹脂製であり、外周にゴム製のシール部材９が嵌着され、フード部４に嵌合した状態ではそのシール部材９により嵌合部分の防水が図られている。雌側ハウジング２内に形成したキャビティ１０には雌端子金具（図示せず）が後方から挿入される。このキャビティ１０の挿入口は雌端子金具に嵌着したゴム栓（図示せず）によって防水される。
【００１２】
雌側ハウジング２の上部には、前面に差込み口１２を有する端子収容室１３（収容空間）が形成されている。この端子収容室１３内には、前記差込み口１２を通して挿入された短絡端子１１が収容されている。短絡端子１１は金属製の薄板（この実施形態における短絡端子１１は、ばね用りん青銅にて形成されている）によって一体に形成されている。短絡端子１１は、図６に示すように、基板１４を有するとともに、その一方の短辺部から長さ方向へ延出された一対の第１ばね片部１５をほぼＵ字状に折り返している。この折り返し部が両第１ばね片部１５の支点部１５ａ（図５等参照）を構成し、この支点部１５ａから緩やかに上り勾配となった頂部に金メッキが施された接点部１５ｂが膨出形成されている。接点部１５ｂからは一旦、水平方向に延びた後、改めて上記と同様の勾配をもって傾斜し、その後、水平に延びて第２ばね片部１６の駆動部１６ｃを受ける受圧面１５ｃが形成されている。また、基板１４の他方の短辺部からは両第１ばね片部１５よりは短い長さをもって一対の第２ばね片部１６が延出されている。両第２ばね片部１６は第１ばね片部１５より大きな勾配をもって折り返され、この折り返し部を支点部１６ａとしてロックアーム７の操作部７ａの下面へ向けて延びている。そして、９０゜よりやや大きめの角度をもって山形状に折り曲げられており、その頂点はロックアーム７によって押し下げられる被押圧部１６ｂとなる。さらに、この被押圧部１６ｂに続く部分は、第１ばね片部１５の受圧面１５ｃを押圧可能な駆動部１６ｃとなって、第１ばね片部１５上に重ねられ、かつこの駆動部１６ｃの先端は円弧状に巻回された回曲部１６ｄとなっていて、駆動部１６ｃが受圧面１５ｃ上をスライドしやすくしてある。
【００１３】
さらに、基板１４において両第１ばね片部１５が配されている側の辺の一端からは図５，６に示すように、操作片１７が、第１ばね片部１５の支点部の前方を覆うようにしてほぼ直角に折り曲げられている。なお、この操作片１７の前面は、短絡端子１１を端子収容室１３へ押し込む場合の操作面１７ａとなる。さらにまた、基板１４の両側縁は上面側へ起立させて補強縁１８としてある。
端子収容室１３において被押圧部１６ｂと対応する領域は雌側ハウジング２の上面側へ開放されており、また、同領域を構成する側壁部と底面部は、雌側ハウジング２の少し前方へ奥まった上部後端面から後方へ突出している。さらに、側壁部の後端縁同士を連結する後面壁の上縁は、ロックアーム７の弾性限度を越えた塑性変形を防止するための過度撓み防止部１９となっている。
【００１４】
雌側ハウジング２の上面には、上部後端面に沿って端子収容室１３と同じ幅で立ち上がる脚部２０が形成されている。また、脚部２０の上端には、脚部２０と同じ幅で前方に延びる係止部７ｂと後方に延びる操作部７ａとを有するロックアーム７が一体に形成されている。係止部７ｂには、雄側ハウジング１のロック突起６と係合可能なロック孔７ｃが形成され、操作部７ａは短絡端子１１の被押圧部１６ｂの上方に被さるように位置している。かかるロックアーム７は、脚部２０を僅かに撓ませつつ操作部７ａを下動させるようにシーソー状に変位する。
【００１５】
雄雌両ハウジング１，２の嵌合の過程では、ロックアーム７がその先端においてロック突起６と干渉するために操作部７ａを下動させるように変位させられ、その操作部７ａが第２ばね片部１６の被押圧部１６ｂを押し下げることにより駆動部１６ｃを介して第１ばね片部１５の受圧面１５ｃが押し下げられ、これにより、接点部１５ｂも下方へ変位することから、短絡端子１１は検知端子８と非接触の状態となる。両ハウジング１，２が正規嵌合に至ると、ロックアーム７の先端がロック突起６から外れ、ロックアーム７が弾性復元してロック突起６にロック孔７ｃが係合し、もって両ハウジング１，２が離脱不能にロックされる。また、ロックアーム７の復動に伴い、操作部７ａによる被押圧部１６ｂへの押動が解除されると、駆動部１６ｃによる受圧面１５ｃの押し下げも解除されるため、第１ばね片部１５が弾性復元して接点部１５ｂが検知端子８と接触し、検知端子８が短絡状態となる。即ち、短絡端子１１の短絡の有無に基づいて両ハウジング１，２の嵌合状態を検知することができる。
【００１６】
両ハウジング１，２を離脱させる際には、操作部７ａを押し下げ操作してロック孔７ｃをロック突起６から外してロックを解除し、その状態を維持したまま両ハウジング１，２を引き離す。
【００１７】
次に、端子収容室１３の内部を水や塵埃の侵入から保護するための手段について説明する。
脚部２０の外側面は側壁部の基端部外面と面一状に上下に連続しており、この脚部２０の外側面と側壁部の外面、及び脚部２０の上端面と端子収容室１３の底面部の外面とにより、全周に亘って連なるシール周面２２が上部後端面に沿うように形成されている。
【００１８】
また、このシール周面２２よりも後方にはロックアーム７の操作部７ａと端子収容室１３の後端部が突出しているが、これらの突出部分には前面開放の箱状をなす弾性シールカバー２３が後方から被せられている。弾性シールカバー２３は、必要に応じて耐熱性・耐食性をもたせた柔軟なゴム材料からなり、この前面の開口縁部がやや弾性的に拡開した状態でシール周面２２に外嵌されている。したがって、シール周面２２には弾性シールカバー２３の弾性復元力によって開口縁部が密着されている。
さらに、弾性シールカバー２３の開口縁部の外周には浅い取付溝２４が全周に形成され、ここに金属製の締付けリング２５が外嵌されている。この締付けリング２５は、シール周面２２よりも一回り大きいサイズとされ、そのサイズの差は弾性シールカバー２３の肉厚よりも小さく設定されている。したがって、弾性シールカバー２３の開口縁部は締付けリング２５とシール周面２２との間で内外から挟み付けられて弾性的に潰れ変形させられている。これにより、シール周面では全周に亘って高いシール機能が発揮され、端子収容室１３の内部と操作部７ａとが水や塵埃の侵入から確実に保護されている。
【００１９】
また、締付けリング２５の左右両側縁には斜め外後方へ突出する抜止片２６が形成されており、一方、上部後端面には鉤状の受け突起２７が形成されている。この受け突起２７に抜止片２６が係合することにより、締付けリング２５及び弾性シールカバー２３の後方への外れが規制される。締付けリング２５を組み付ける過程では、抜止片２６が内側へ撓みつつ受け突起２７を通過し、通過後は抜止片２６が外側へ弾性復元して受け突起に係合する。
【００２０】
上述のように本実施形態においては、短絡端子１１を第１ばね片部１５と第２ばね片部１６とから形成するとともに、ロックアーム７の操作部７ａにて押される部分として第２ばね片部１６の被押圧部１６ｂを設定し、ここから駆動部１６ｃを延出させて接点部１５ｂにより近づいた箇所を押し下げることができるようにしたため、従来のように、接点部１５ｂをそのまま延長させた先に被押圧部１６ｂ（ロックアーム７によって直接押し下げられる箇所）を形成した場合に比べ、接点部１５ｂの撓み量を大きく確保することができる。
【００２１】
すなわち、図８は従来の短絡端子が撓み変形する様子を模式的に示しているが、支点部１０２ａから水平距離ａ２にある被駆動部１０２ｃを高さｂだけ変位したときに、支点部１０２ａから水平距離ａ１にある接点部１０２ｄが高さｃ１だけ下がることを示している。これに対し、図９は本実施形態の短絡端子が撓み変形する様子を模式的に示したものである。但し、支点部１５ａから接点部１５ｂまでの水平距離と、支点部１５ａから被押圧部１６ｂまでの水平距離は、共に図８の場合と同じくそれぞれａ１，ａ２としてある。図９において、ロックアーム７によって被押圧部１６ｂが図８の場合同じく、高さｂだけ押し下げられると、接点部１５ｂは高さｃ２だけ下げられる。
この場合、被押圧部１６ｂが図８と同じ高さだけ変位しても、第１ばね片部１５に対しては駆動部１６ｃによってより接点部１５ｂに近い位置を押し下げることができるため、接点部１５ｂの高さ方向の変位ｃ２は図８の変位量ｃ１よりも大きい変位量となる。つまり、ｃ１＜ｃ２となる。
【００２２】
かくして、従来に比較して接点部の変位を増幅させることができ、これによって検知端子８と短絡端子１１の接触・非接触が確実に区別できるため、ハウジング同士の嵌合に対する検知機能が高められる。また、接点部１５ｂの撓み量が大きくとれることは、その分だけロックアーム７の撓みストロークを従来に比較して小さく設定できることになり、このことは、既述したように、防水コネクタに使用されることが多いシーソ型ロックアーム７において特に有利となる。
【００２３】
さらに、本実施形態では短絡端子１１は図６に示すように、一枚の金属板を単に曲げ加工することによって形成されたものであるから、製造も簡単である。
なお、ロックアーム７が変位するときには、シール周面における上面部分が僅かに傾斜するが、弾性シールカバーの開口縁部がその傾斜にあわせて弾性撓みするため、シール性が損なわれることはない。
【００２４】
なお、本発明は種々の変更が可能であり、次のような変形例も本発明の技術的範囲に含まれる。
▲１▼この実施形態では、短絡端子１１を一枚の金属板から製造したが、第１ばね片部１５と第２ばね片部１６は別体で形成したものであってもよい。
▲２▼また、駆動部１６ｃの先端は必ずしも第１ばね片部１５と切り離されている必要はなく、結合されたものであってもよい。
【図面の簡単な説明】
【図１】弾性シールカバーの周囲を示す斜視図
【図２】嵌合前の状態を示す断面図
【図３】嵌合途中の状態を示す断面図
【図４】嵌合完了状態を示す断面図
【図５】短絡端子の斜視図
【図６】同じく展開図
【図７】短絡端子の動作を説明するための正面図
【図８】従来の短絡端子の撓み状況を模式的に示す説明図
【図９】本実施形態の短絡端子の撓み状況を模式的に示す説明図
【図１０】従来の嵌合検知コネクタを示す断面図
【符号の説明】
１、２…ハウジング
７…ロックアーム
８…検知端子
１１…短絡端子
１２…差込み口
１３…端子収容室
１５…第１ばね片部
１５ａ…支点部
１５ｂ…接点部
１６…第２ばね片部
１６ａ…支点部
１６ｂ…被押圧部
１６ｃ…駆動部
１６ｄ…回曲部
１７ａ…操作面
【図１】
0003598811.tif 000002
【図２】
0003598811.tif 000003
【図３】
0003598811.tif 000004
【図４】
0003598811.tif 000005
【図５】
0003598811.tif 000006
【図６】
0003598811.tif 000007
【図７】
0003598811.tif 000008
【図８】
0003598811.tif 000009
【図９】
0003598811.tif 000010
【図１０】
0003598811.tif 000011